(57)【要約】【課題】原稿を一方向に搬送しつつその両面の画像データを２つの画像読取センサによって読取る画像読取装置において、ユーザが表面及び裏面について個別に設定倍率を設定することができる画像読取装置を提供すること。【解決手段】本発明の画像読取装置１は、原稿の搬送路１７の表裏各面側にそれぞれ配置された２つの画像読取センサ１３及び１４と、原稿の表面と裏面の設定倍率の入力を個別に受付ける操作部８と、受付けた表面の設定倍率２３ａと裏面の設定倍率２３ｂを格納するＲＡＭ１１と、設定倍率２３ａと２３ｂが異なるとき、どちらか一方の面の設定倍率に基づいて原稿の搬送速度を決定する制御部２と、決定した搬送速度にて原稿の両面読取りを行うとともに、他方の面を読取って得た画像データに対して両設定倍率２３ａ及び２３ｂに基づいて変倍処理を行う変倍処理回路４と、を備える。【選択図】      図１
2005217561.tif 000002
【特許請求の範囲】
【請求項１】
原稿を一方向に搬送しつつ前記原稿の搬送路の表裏各面側にそれぞれ配置された２つの画像読取センサによって前記原稿の両面の画像データを読取る両面読取り機能を備えた画像読取装置において、
原稿の表面と裏面の設定倍率の入力を個別に受付ける入力受付手段と、受付けた表面の設定倍率と裏面の設定倍率を格納する格納手段と、格納されているこれらの設定倍率が異なるとき、どちらか一方の面の設定倍率に基づいて原稿の搬送速度を決定する搬送速度決定手段と、決定した前記搬送速度にて原稿の両面読取りを行うとともに、読取って得た他方の面の画像データに対して両設定倍率に基づいて変倍処理を行う変倍処理手段と、を備えることを特徴とする画像読取装置。
【請求項２】
原稿を一方向に搬送しつつ前記原稿の搬送路の表裏各面側にそれぞれ配置された２つの画像読取センサによって前記原稿の両面の画像データを読取る両面読取り機能を備えた画像読取装置において、
原稿の表面と裏面の設定倍率の入力を個別に受付ける入力受付手段と、受付けた表面の設定倍率と裏面の設定倍率を格納する格納手段と、格納されているこれらの設定倍率が異なるとき、大きい方の設定倍率に基づいて原稿の搬送速度を決定する搬送速度決定手段と、決定した前記搬送速度にて原稿の両面読取りを行うとともに、読取って得た小さい方の設定倍率が設定されている面の画像データに対して両設定倍率に基づいて間引き処理を行う変倍処理手段と、を備えることを特徴とする画像読取装置。
【請求項３】
原稿を一方向に搬送しつつ前記原稿の搬送路の表裏各面側にそれぞれ配置された２つの画像読取センサによって前記原稿の両面の画像データを読取る両面読取り機能を備えた画像読取装置において、
原稿の表面と裏面の設定倍率の入力を個別に受付ける入力受付手段と、受付けた表面の設定倍率と裏面の設定倍率を格納する格納手段と、格納されているこれらの設定倍率が異なるとき、小さい方の設定倍率に基づいて原稿の搬送速度を決定する搬送速度決定手段と、決定した前記搬送速度にて原稿の両面読取りを行うとともに、読取って得た大きい方の設定倍率が設定されている面の画像データに対して両設定倍率に基づいて補間処理を行う変倍処理手段と、を備えることを特徴とする画像読取装置。
【請求項４】
原稿を一方向に搬送しつつ前記原稿の搬送路の表裏各面側にそれぞれ配置された２つの画像読取センサによって前記原稿の両面の画像データを読取る両面読取り機能を備えた画像読取装置において、
原稿の表面と裏面の設定倍率の入力を個別に受付ける入力受付手段と、受付けた表面の設定倍率と裏面の設定倍率を格納する格納手段と、格納されているこれらの設定倍率が異なるとき、両設定倍率の中間の倍率に基づいて原稿の搬送速度を決定する搬送速度決定手段と、決定した前記搬送速度にて原稿の両面読取りを行うとともに、前記両設定倍率と前記中間の倍率に基づいて、読取って得た大きい方の設定倍率が設定されている面の画像データに対して補間処理を行い、読取って得た小さい方の設定倍率が設定されている面の画像データに対して間引き処理を行う変倍処理手段と、を備えることを特徴とする画像読取装置。
【請求項５】
前記入力受付手段は、前記原稿の表面と裏面の設定倍率の入力に加え、前記搬送速度決定手段が大きい方の設定倍率と小さい方の設定倍率のうち、いずれの設定倍率に基づいて前記原稿の搬送速度を決定するかの選択を受付け、前記搬送速度決定手段は、前記入力受付手段が選択を受付けた設定倍率に基づいて前記原稿の搬送速度を決定することを特徴とする請求項１記載の画像読取装置。
【発明の詳細な説明】
【技術分野】
【０００１】
本発明は、画像読取装置に関し、詳しくは原稿を一方向に搬送しつつその両面の画像データを２つの画像読取センサによってそれぞれ読取る両面読取り機能を備えた画像読取装置に関するものである。
【背景技術】
【０００２】
原稿の両面読取りを行う画像読取装置には、１つの画像読取センサによって原稿の表裏両面の画像データを読取るもの（以下、「スイッチバックタイプ」という。）と、表面画像読取センサと裏面画像読取センサの２つの読取センサによって原稿の表裏両面の画像データを読取るもの（以下、「１パスタイプ」という。）と、が存在する。
【０００３】
スイッチバックタイプの画像読取装置では、原稿トレイに載置された原稿を搬送路に沿って搬送させつつ、該搬送路の所定の読取位置で画像読取センサによって原稿の表面の画像データを読取った後、その原稿をスイッチバックさせて反転し、逆方向に原稿を搬送させつつ同じ画像読取センサによって裏面の画像データを読取ることにより、原稿の両面読取りが行われる。このように、スイッチバックタイプの画像読取装置では、原稿の表面と裏面の画像データが別々に読取られるため、ユーザによって表面と裏面とで異なる倍率が設定された場合、それぞれ設定された倍率に応じて読取位置での原稿の搬送速度を決定することにより、原稿の表裏各面についてそれぞれ個別に変倍処理（拡大／縮小）した画像データを読取ることができる。
【０００４】
一方、１パスタイプの画像読取装置では、原稿トレイに載置された原稿を搬送路に沿って搬送させつつ、搬送される原稿の表裏各面側にそれぞれ設けられた表面画像読取センサと裏面画像読取センサによって原稿の表面と裏面の画像データをスイッチバックすることなく読取ることにより、原稿の両面読取りが行われる。１パスタイプの画像読取装置では原稿の表面と裏面の画像データの読取動作が重複するため、上記のスイッチバックタイプの画像読取装置のように原稿の搬送速度を表面と裏面とで個別に決定して変倍処理を行うことはできなかった。
【０００５】
ところで、読取った両面の画像データに対して画素データを挿入又は間引くことにより変倍処理を行う画像読取装置がある（例えば、特許文献１参照。）。この特許文献１の画像読取装置では、解像度の異なる表面画像読取センサと裏面画像読取センサで読取った原稿の両面の画像データを同じ線密度でファクシミリ送信するために、変倍処理回路において、読取った表面の画像データと裏面の画像データに対して変倍率を異ならせて画素データを挿入して拡大する処理又は画素データを間引いて縮小する処理が行われるようになっている。
【特許文献１】特開平８−２６５５７６号公報
【発明の開示】
【発明が解決しようとする課題】
【０００６】
しかしながら、上記の特許文献１の画像読取装置で行われる変倍処理は、解像度が異なる画像読取センサでそれぞれ読取った原稿の両面の画像データの線密度を等しくするための処理であり、ユーザは原稿の表面と裏面とで異なる設定倍率を設定して両面コピー等を行うことはできなかった。
【０００７】
本発明は、かかる課題に鑑みてなされたものであり、原稿を一方向に搬送しつつ原稿の搬送路の表裏各面側にそれぞれ配置された２つの画像読取センサによって原稿の両面の画像データを読取る画像読取装置において、ユーザが原稿の表面及び裏面について個別に倍率を設定することができる画像読取装置を提供することを目的とする。
【課題を解決するための手段】
【０００８】
上記目的を達成するために、請求項１記載の画像読取装置は、原稿を一方向に搬送しつつ前記原稿の搬送路の表裏各面側にそれぞれ配置された２つの画像読取センサによって前記原稿の両面の画像データを読取る両面読取り機能を備えた画像読取装置において、原稿の表面と裏面の設定倍率の入力を個別に受付ける入力受付手段と、受付けた表面の設定倍率と裏面の設定倍率を格納する格納手段と、格納されているこれらの設定倍率が異なるとき、どちらか一方の面の設定倍率に基づいて原稿の搬送速度を決定する搬送速度決定手段と、決定した前記搬送速度にて原稿の両面読取りを行うとともに、読取って得た他方の面の画像データに対して両設定倍率に基づいて変倍処理を行う変倍処理手段と、を備えることを特徴としている。
【０００９】
請求項２記載の画像読取装置は、原稿を一方向に搬送しつつ前記原稿の搬送路の表裏各面側にそれぞれ配置された２つの画像読取センサによって前記原稿の両面の画像データを読取る両面読取り機能を備えた画像読取装置において、原稿の表面と裏面の設定倍率の入力を個別に受付ける入力受付手段と、受付けた表面の設定倍率と裏面の設定倍率を格納する格納手段と、格納されているこれらの設定倍率が異なるとき、大きい方の設定倍率に基づいて原稿の搬送速度を決定する搬送速度決定手段と、決定した前記搬送速度にて原稿の両面読取りを行うとともに、読取って得た小さい方の設定倍率が設定されている面の画像データに対して両設定倍率に基づいて間引き処理を行う変倍処理手段と、を備えることを特徴としている。
【００１０】
請求項３記載の画像読取装置は、原稿を一方向に搬送しつつ前記原稿の搬送路の表裏各面側にそれぞれ配置された２つの画像読取センサによって前記原稿の両面の画像データを読取る両面読取り機能を備えた画像読取装置において、原稿の表面と裏面の設定倍率の入力を個別に受付ける入力受付手段と、受付けた表面の設定倍率と裏面の設定倍率を格納する格納手段と、格納されているこれらの設定倍率が異なるとき、小さい方の設定倍率に基づいて原稿の搬送速度を決定する搬送速度決定手段と、決定した前記搬送速度にて原稿の両面読取りを行うとともに、読取って得た大きい方の設定倍率が設定されている面の画像データに対して両設定倍率に基づいて補間処理を行う変倍処理手段と、を備えることを特徴としている。
【００１１】
請求項４記載の画像読取装置は、原稿を一方向に搬送しつつ前記原稿の搬送路の表裏各面側にそれぞれ配置された２つの画像読取センサによって前記原稿の両面の画像データを読取る両面読取り機能を備えた画像読取装置において、原稿の表面と裏面の設定倍率の入力を個別に受付ける入力受付手段と、受付けた表面の設定倍率と裏面の設定倍率を格納する格納手段と、格納されているこれらの設定倍率が異なるとき、両設定倍率の中間の倍率に基づいて原稿の搬送速度を決定する搬送速度決定手段と、決定した前記搬送速度にて原稿の両面読取りを行うとともに、前記両設定倍率と前記中間の倍率に基づいて、読取って得た大きい方の設定倍率が設定されている面の画像データに対して補間処理を行い、読取って得た小さい方の設定倍率が設定されている面の画像データに対して間引き処理を行う変倍処理手段と、を備えることを特徴としている。
【００１２】
請求項５記載の画像読取装置は、請求項１に記載の画像読取装置において、前記入力受付手段は、前記原稿の表面と裏面の設定倍率の入力に加え、前記搬送速度決定手段が大きい方の設定倍率と小さい方の設定倍率のうち、いずれの設定倍率に基づいて前記原稿の搬送速度を決定するかの選択を受付け、前記搬送速度決定手段は、前記入力受付手段が選択を受付けた設定倍率に基づいて前記原稿の搬送速度を決定することを特徴としている。
【発明の効果】
【００１３】
請求項１に記載の画像読取装置によれば、原稿を一方向に搬送しつつその両面の画像データを２つの画像読取センサによって同時に読取る１パスタイプの装置であっても、ユーザは表面と裏面について個別に設定倍率を設定することができる。
【００１４】
請求項２に記載の画像読取装置によれば、原稿を一方向に搬送しつつその両面の画像データを２つの画像読取センサによって同時に読取る１パスタイプの装置であっても、ユーザは表面と裏面について個別に設定倍率を設定することができる。また、大きい方の設定倍率に基づいて決定した搬送速度にて原稿の両面読取りを行うとともに、読取って得た小さい方の設定倍率が設定されている面の画像データに対して間引き処理を行うので、小さい方の設定倍率に基づいて決定した搬送速度にて原稿の両面読取りを行うとともに、読取って得た大きい方の設定倍率が設定されている面の画像データに対して補間処理を行う場合に比べ、画質の良い画像データを得ることができる。
【００１５】
請求項３に記載の画像読取装置によれば、原稿を一方向に搬送しつつその両面の画像データを２つの画像読取センサによって同時に読取る１パスタイプの装置であっても、ユーザは表面と裏面について個別に設定倍率を設定することができる。また、小さい方の設定倍率に基づいて決定した搬送速度にて原稿の両面読取りを行うとともに、読取って得た大きい方の設定倍率が設定されている面の画像データに対して補間処理を行うので、大きい方の設定倍率に基づいて決定した搬送速度にて原稿の両面読取りを行うとともに、読取って得た小さい方の設定倍率が設定されている面の画像データに対して間引き処理を行う場合に比べ、高速で原稿の読取動作を行うことができる。
【００１６】
請求項４に記載の画像読取装置によれば、原稿を一方向に搬送しつつその両面の画像データを２つの画像読取センサによって同時に読取る１パスタイプの装置であっても、ユーザは表面と裏面について個別に設定倍率を設定することができる。また、表面と裏面の設定倍率の中間の倍率に基づいて決定した搬送速度にて原稿の両面読取りを行うとともに、読取って得た大きい方の設定倍率が設定されている面の画像データに対して補間処理を、読取って得た小さい方の設定倍率が設定されている面の画像データに対して間引き処理を行うので、原稿の読取速度と得られる画像データの画質の双方を考慮した読取動作を行うことができる。
【００１７】
請求項５に記載の画像読取装置によれば、ユーザは、例えば両面コピーなどで両面読取りを行う際に表面と裏面とで異なる設定倍率を設定した場合、大きい方の設定倍率と小さい方の設定倍率のいずれの設定倍率に基づいて原稿の搬送速度を決定するかを選択できるので、画質を優先して原稿の読取動作を行わせるか、又は読取速度を優先して原稿の読取動作を行わせることができる。
【発明を実施するための最良の形態】
【００１８】
以下、本発明の実施の形態に係る画像読取装置について、図面に基づき説明する。図１は、この画像読取装置１の構成例を示したブロック図である。画像読取装置１は、図示するように制御部（ＭＰＵ：Microprocessing Unit）２、原稿読取部３、変倍処理回路４、コーデック（ＣＯＤＥＣ：Coder and Decoder）５、画像メモリ６、記録部７、操作部８、表示部９、ＲＯＭ（Read Only Memory）１０、及びＲＡＭ（Random Access Memory）１１を備えたものであって、各部２乃至１１は、バス１２によって通信可能に接続されている。
【００１９】
制御部２は、画像読取装置１の各部の動作を制御する。原稿読取部３は、原稿の表面と裏面の画像データを２つの画像読取センサによってそれぞれ主走査ライン毎に読取るものである。この原稿読取部３は、原稿の表面の画像データを読取る表面画像読取センサ１３、原稿の裏面の画像データを読取る裏面画像読取センサ１４、及び表面画像読取センサ１３と裏面画像読取センサ１４によって両面の画像データが読取られる原稿の搬送速度を制御する読取機構制御部１５を具備している。なお、ここでは表面画像読取センサ１３と裏面画像読取センサ１４は、同じ解像度の画像読取センサである。
【００２０】
この原稿読取部３は、図示していないが、表面画像読取センサ１３によって原稿の表面の画像データを読取るためのフラットベッド読取部（ＦＢＳ：Flat Bed Scanner）と、該フラットベッド読取部の透明な原稿載置板に対して開閉自在に枢支された自動原稿搬送装置（ＡＤＦ：Automatic Document Feeder）と、を備えている。フラットベッド読取部には、原稿が載置される透明な原稿載置板及び自動原稿搬送装置が搬送する原稿が通過する透明な透光板が設けられており、原稿載置板に載置された原稿の画像データ、又は透光板を通過する原稿の表面の画像データが表面画像読取センサ１３によって主走査ライン毎に読取られるようになっている。一方、自動原稿搬送装置は、図２に概略的に示すように原稿トレイに載置された原稿を搬送路１７に沿って搬送するものであり、自動原稿搬送装置に設けられた前記裏面画像読取センサ１４によって原稿の裏面の画像データを主走査ライン毎に読取ることができる。
【００２１】
原稿の両面読取りが行われる場合、原稿トレイに載置された原稿は、まず給紙ローラ１８により搬送路１７へと送り込まれる。搬送路１７へと送り込まれた原稿は、搬送ローラ１９により搬送され、搬送路１７に沿って上方から下方へＵターンするように反転して前記透光板がある読取位置Ｐ１に至り、読取位置Ｐ１を通過する際に表面画像読取センサ１３によって表面の画像データが読取られ、更に搬送路１７を搬送されて読取位置Ｐ２を通過する際に裏面画像読取センサ１４によって裏面の画像データが読み取られる。すなわち、搬送される原稿の先端が読取位置Ｐ２を通過してから後端が読取位置Ｐ１を通過するまでの間、原稿の両面の画像データが同時に読取られる。そして、原稿の両面読取りが行われた原稿は、排紙ローラ２０により原稿トレイの下方に位置する排紙トレイへ排出される。このように、原稿読取部３は、原稿を一方向に搬送しつつ原稿の搬送路１７の表裏両面側にそれぞれ配置された２つの画像読取センサ１３及び１４によって原稿の両面の画像データを読取る両面読取りを行うことができる。
【００２２】
なお、図示していないが、原稿を搬送するための給紙ローラ１８、搬送ローラ１９、及び排紙ローラ２０のローラ軸の一端には、駆動ギヤが設けられており、該駆動ギヤにモータの回転が伝達されることにより各ローラ軸が回転する。読取機構制御部１５は、このモータの回転を制御することにより原稿トレイ上の原稿を搬送すると共に、その原稿の搬送速度を制御する。このように、読取機構制御部１５が原稿の搬送速度を制御することにより、原稿の読取速度が制御されるようになっている。したがって、読取機構制御部１５が原稿サイズや読取解像度等に加え、ユーザによって設定された設定倍率（変倍率）に基づいて制御部２が決定した搬送速度で原稿が搬送されるように上記のモータの回転を制御することにより、原稿読取時に原稿の副走査方向に変倍した画像データを出力する変倍処理を行うことができる。また、原稿の主走査方向については、例えば不要な画素データを間引いた主走査ライン毎の画素データを出力することにより変倍処理することができる。ただし、原稿の両面読取りが行われる場合には、表面画像読取センサ１３と裏面画像読取センサ１４によって読取動作が同時に行われる期間が存在するため、異なる搬送速度にて原稿の表面読取りと裏面読取りを行うことはできない。そのため、原稿読取部３からは表面と裏面とで同じ変倍率で読取られた画像データが出力される。また、図示していないが、この原稿読取部３には画像処理回路が設けられており、読取られた原稿の画像データはこの画像処理回路においてＡ／Ｄ変換、シェーディング補正等の画像処理が施された後、所定の出力先に出力される。
【００２３】
変倍処理回路４は、原稿読取部３から出力された原稿の画像データに対して変倍処理（拡大／縮小）を行う。具体的には、原稿読取部３から出力された原稿の画像データの各画素データ間に新たに生成した画素データを挿入する補間処理を行うことにより画像データを拡大し、原稿読取部３から出力された原稿の画像データから画素データを間引く間引き処理を行うことにより画像データを縮小する。よって、設定倍率に基づいて原稿の搬送速度を決定する制御部２と、決定された搬送速度にて原稿の両面読取りを行って変倍した画像データを出力する原稿読取部３と、画素データの補間処理又は間引き処理により変倍処理を行う変倍処理回路４と、が変倍処理手段として機能する。
【００２４】
コーデック５は、画像データを所定のプロトコルに対応して符号化（エンコード）・復号（デコード）するものである。ここでは、変倍処理回路４で変倍処理された画像データ又は原稿読取部３から直接出力された画像データをＭＨ（Modified Huffman）、ＭＲ（Modified Read）、ＭＭＲ（Modified Modified Read）、ＪＢＩＧ（Joint Bi-level Image Group）方式等により符号化し、符号化されている画像データを復号する。画像メモリ６は、コーデック５において符号化された画像データ、変倍処理回路４において変倍処理された画像データ、原稿読取部３から直接出力された画像データ等を格納する。
【００２５】
記録部７は、画像メモリ６から読み出された画像データの画像を所定の用紙に記録するものである。この記録部７における記録方式としては、例えば、電子写真方式やインクジェット記録方式等の各種の記録方式を用いることができる。
【００２６】
操作部８は、原稿読取部３に原稿の読取開始を指示するためのスタートキー、コピー部数等を入力するためのテンキー、各種設定を行うためのカーソルキーなど、表示部９と連動した各種操作キーを備えており、原稿の両面読取りを行う際に、原稿の表面と裏面の設定倍率の入力を個別に受付ける入力受付手段として機能する。また、制御部２が大きい方の設定倍率と小さい方の設定倍率のうち、いずれの設定倍率に基づいて原稿の搬送速度を決定するかの選択を受付ける入力受付手段としても機能する。すなわち、後述するが原稿の両面読取りを行う際の読取モードをこの操作部８からユーザが選択することができる。表示部９は、各種の設定画面や画像読取装置１の動作状態などを文字や図形などで表示する液晶表示装置（ＬＣＤ：Liquid Crystal Display）２１や、点灯又は消灯で表示するＬＥＤランプ２２などを備えている。
【００２７】
ＲＯＭ１０は、制御部２によりこの画像読取装置１の各部の動作が制御されるための各種プログラムを格納している。ＲＡＭ１１は、画像読取装置１の処理動作に用いる設定情報や動作情報等の各種データを読出し及び書込み可能な状態で格納するメモリである。このＲＡＭ１１には、原稿の両面読取りを行う場合に、ユーザによって入力された表面と裏面の設定倍率２３、入力された読取モード示す読取モード設定情報２４、及び制御部２が設定倍率２３と読取モード設定情報２４に基づいて決定した原稿搬送速度２５が格納される。
【００２８】
設定倍率２３は、例えば１２０％や８０％など、原稿の画像データを読取って拡大又は縮小する場合に、ユーザによって操作部８から入力された倍率であり、操作部８が受付けた表面の設定倍率２３ａ（２３）と裏面の設定倍率２３ｂ（２３）を格納するＲＡＭ１１が格納手段として機能する。搬送速度決定手段として機能する制御部２は、格納されているこれらの設定倍率２３ａと２３ｂが異なるとき、大きい方の設定倍率と小さい方の設定倍率のどちらか一方の面の設定倍率２３に基づいて原稿の搬送速度（原稿搬送速度２５）を決定する。そして、原稿読取部３で制御部２が決定した搬送速度２５にて原稿の両面読取りを行うとともに、変倍処理回路４で読取って得た他方の面の画像データに対して変倍処理、すなわち補間処理又は間引き処理を行う。また、制御部２は、両設定倍率２３ａ及び２３ｂの中間の倍率に基づいて原稿の搬送速度２５を決定することもできる。その際、原稿読取部３で制御部２が決定した搬送速度２５にて原稿の両面読取りを行うとともに、変倍処理回路４で両設定倍率２３ａ及び２３ｂと中間の倍率に基づいて、読取って得た大きい方の設定倍率が設定されている面の画像データに対して補間処理を行い、読取って得た小さい方の設定倍率が設定されている面の画像データに対して間引き処理を行う。このように、設定倍率２３ａと２３ｂが異なる場合に、本発明の実施の形態に係る画像読取装置１では、上記のいずれかの変倍処理が行われる。なお、ここでは、上記の変倍処理のうちいずれの変倍処理を行うかをユーザが設定した読取モード設定情報２４がこのＲＡＭ１１に格納されており、この読取モード設定情報２４に基づいていずれかの変倍処理が行われる。この読取モード設定情報２４は３通りで、「画質優先モード」、「速度優先モード」、及び「標準モード」のいずれかに対応する設定情報である。
【００２９】
ここで、「画質優先モード」に対応する設定情報は、以下の処理を行うことを示す情報である。すなわち、格納されている表面の設定倍率２３ａと裏面の設定倍率２３ｂが異なるとき、大きい方の設定倍率に基づいて原稿搬送速度２５を決定する。そして、決定した搬送速度２５にて原稿の両面読取りを行うとともに、読取って得た小さい方の設定倍率が設定されている面の画像データに対して両設定倍率２３ａ及び２３ｂに基づいて間引き処理を行うことを示す情報である。
【００３０】
「速度優先モード」に対応する設定情報は、以下の処理を行うことを示す情報である。すなわち、格納されている表面の設定倍率２３ａと裏面の設定倍率２３ｂが異なるとき、小さい方の設定倍率に基づいて原稿搬送速度２５を決定する。そして、決定した搬送速度２５にて原稿の両面読取りを行うとともに、読取って得た大きい方の設定倍率が設定されている面の画像データに対して両設定倍率２３ａ及び２３ｂに基づいて補間処理を行うことを示す情報である。
【００３１】
「標準モード」に対応する設定情報は、以下の処理を行うことを示す情報である。すなわち、格納されている表面の設定倍率２３ａと裏面の設定倍率２３ｂが異なるとき、両設定倍率２３ａ及び２３ｂの中間の倍率に基づいて原稿搬送速度２５を決定する。そして、決定した搬送速度２５にて原稿の両面読取りを行うとともに、両設定倍率２３ａと２３ｂと前記中間の倍率に基づいて、読取って得た大きい方の設定倍率が設定されている面の画像データに対して補間処理を行い、読取って得た小さい方の設定倍率が設定されている面の画像データに対して間引き処理を行うことを示す情報である。なお、本実施の形態においては、読取モード設定情報２４は上記の３種類であるが、上記３種類のうちの１種類又は２種類としてもよい。例えば、読取りモードを「画質優先モード」と「速度優先モード」の２種類とすることもできる。
【００３２】
図３は、ユーザによって設定された表面の設定倍率２３ａと裏面の設定倍率２３ｂが異なる場合に、原稿搬送速度２５を決定するために基となる倍率と変倍処理回路４において行われる変倍処理の関係を示したものである。以下、ユーザによって表面の設定倍率２３ａが８０％、裏面の設定倍率２３ｂが６０％に設定された場合の各部の処理動作について説明する。
【００３３】
制御部２は、両面読取り開始前にユーザによって入力された表面の設定倍率２３ａ（８０％）と裏面の設定倍率２３ｂ（６０％）を比較し、いずれの設定倍率２３が大きいかを判断する。続いて、ユーザによって「画質優先モード」、「標準モード」、及び「速度優先モード」のいずれに対応する読取モードが設定されたかをＲＡＭ１１の読取モード設定情報２４に基づいて判断する。ここで、「画質優先モード」に対応する読取モード設定情報２４が設定されていると判断した場合、大きい方の倍率、すなわち表面の設定倍率２３ａに基づいて原稿搬送速度２５を決定する。そして、表面画像読取センサ１３と裏面画像読取センサ１４は、決定された搬送速度で搬送される原稿の表面の画像データと裏面の画像データをそれぞれ読取る。ここで、読取って得た表面の画像データは、８０％に変倍するための読取速度（搬送速度）で読取られたものであるため８０％に縮小されており、変倍処理回路４では変倍処理されない。一方、読取って得た裏面の画像データも、８０％に変倍するための読取速度で読取られている。したがって、変倍処理回路４は、両設定倍率２３ａ及び２３ｂに基づいて８０％に変倍された裏面の画像データを６０％の倍率となるように間引き処理する。すなわち、７５％縮小するための間引き処理を行う。
【００３４】
また、制御部２は、「標準モード」に対応する読取モード設定情報２４が設定されていると判断した場合、両設定倍率２３ａと２３ｂの中間の倍率、すなわち７０％の倍率に基づいて原稿搬送速度２５を決定する。そして、表面画像読取センサ１３と裏面画像読取センサ１４は、決定された搬送速度で搬送される原稿の表面の画像データと裏面の画像データをそれぞれ読取る。ここで、読取って得た表面の画像データと裏面の画像データは、７０％に変倍するための読取速度で読取られているため、変倍処理回路４は、両設定倍率２３ａ及び２３ｂと中間の倍率（７０％）に基づいて以下の変倍処理を行う。すなわち、７０％に変倍された表面の画像データを８０％の倍率となるように補間処理する。すなわち、８／７倍に拡大するための補間処理を行う。一方、裏面の画像データは、７０％に変倍するための読取速度で読取られているため、変倍処理回路４は、７０％に変倍された裏面の画像データを６０％の倍率となるように間引き処理する。すなわち、６／７倍に縮小するための間引き処理を行う。
【００３５】
一方、制御部２は、「速度優先モード」に対応する読取モード設定情報２４が設定されていると判断した場合、小さい方の倍率、すなわち裏面の設定倍率２３ｂ（６０％）に基づいて原稿搬送速度２５を決定する。そして、表面画像読取センサ１３と裏面画像読取センサ１４は、決定された搬送速度で搬送される原稿の表面の画像データと裏面の画像データをそれぞれ読取る。ここで、読取って得た表面の画像データは、６０％に変倍するための読取速度で読取られている。したがって、変倍処理回路４は、６０％に変倍された表面の画像データを８０％の倍率となるように補間処理する。すなわち、４／３倍に拡大するための補間処理を行う。一方、読取って得た裏面の画像データは、６０％に変倍するための読取速度で読取られたものであるため６０％に縮小されており、変倍処理回路４では変倍処理されない。画像メモリ６は、原稿読取時に変倍処理され原稿読取部３から直接出力された画像データと、変倍処理回路４において変倍処理された画像データを格納する。なお、表面の設定倍率２３ａが裏面の設定倍率２３ｂより小さい場合にも、上記と同様にして図３に示す条件で処理が行われる。
【００３６】
次に、ユーザが操作部８から行う読取モードの設定について説明する。図４は、ユーザによって操作部８から原稿の両面読取りが指定された場合に、液晶表示装置２１に表示される読取モード設定画面２６の一例を示したものである。図示する読取モード設定画面２６には、読取モードの選択を要求する旨のメッセージ、選択可能な読取モードの一覧、表示されている読取モードを選択するためのモード選択ボタン２７、選択した読取モードを決定するためのセットボタン２８等を含む情報が表示されている。この読取モード設定画面２６が表示された状態で、ユーザは、モード選択ボタン２７に対応する操作部８の操作キーを操作して所望の読取モードを選択し、セットボタン２８に対応する操作部８の操作キーを操作することにより、読取モードの設定を行うことができる。このようにしてユーザによって設定された読取モードは、上記の通り、読取モード設定情報２４としてＲＡＭ１１の所定領域に格納される。
【００３７】
以下、上記のように構成された画像読取装置１において、原稿の両面読取りが行われる場合の画像読取装置１の各部の処理動作について、図５乃至図７に示すフローチャートに基づいて説明する。なお、以下のフローチャートに基づいて説明する画像読取装置１の処理動作は、ＲＯＭ１０に格納されている制御プログラムに基づいて制御部２が発行する命令に従って行われる。
【００３８】
制御部２は、まず原稿の両面読取り開始命令があったか否かを判断する（Ｓ１）。この原稿の両面読取り開始命令は、自動原稿搬送装置の原稿トレイに原稿がセットされ、操作部８の操作キーにより両面読取りが指定され、表面の設定倍率２３ａと裏面の設定倍率２３ｂが入力され、スタートキーが押下されること等により入力される。ここで、原稿の両面読取り開始命令があったと判断した場合（Ｓ１：ＹＥＳ）、ユーザによって入力された表面と裏面の設定倍率が等しいか否かをＲＡＭ１１の設定倍率２３（２３ａ及び２３ｂ）に基づいて判断する（Ｓ２）。ここで、表面の設定倍率２３ａと裏面の設定倍率２３ｂが等しいと判断した場合（Ｓ２：ＹＥＳ）、ＲＡＭ１１の設定倍率２３に基づいて原稿搬送速度２５を決定する（Ｓ３）。そして、表面画像読取センサ１３と裏面画像読取センサ１４は、制御部２が決定した搬送速度２５にて原稿の両面読取りを行う（Ｓ４）。なお、ユーザによって設定倍率が入力されなかった場合、すなわち、表面と裏面共に設定倍率が１００％の場合にもＳ３及びＳ４の処理が行われる。
【００３９】
一方、制御部２は、表面の設定倍率２３ａと裏面の設定倍率２３ｂが異なると判断した場合（Ｓ２：ＮＯ）、例えば図４に示した読取モード設定画面２６を表示するなどして、読取モードの選択を要求する情報を報知する（Ｓ５）。続いて、操作部８から読取モードが選択されたか否かを判断し（Ｓ６）、読取モードが選択されていないと判断した場合には（Ｓ６：ＮＯ）、Ｓ５の報知を繰返し行う。そして、読取モードが選択されたと判断した場合（Ｓ６：ＹＥＳ）、ユーザによって選択された読取モードが「標準モード」、「画質優先モード」、「速度優先モード」のいずれに対応するものであるかをＲＡＭ１１に格納されている読取モード設定情報２４に基づいて判断する（Ｓ７）。
【００４０】
制御部２は、選択された読取モードが「画質優先モード」に対応するものであると判断した場合（Ｓ７：画質優先モード）、表面の設定倍率２３ａが裏面の設定倍率２３ｂよりも大きいか否かを判断する（Ｓ８）。ここで、表面の設定倍率２３ａが裏面の設定倍率２３ｂよりも大きいと判断した場合（Ｓ８：ＹＥＳ）、制御部２は、大きい方の設定倍率、すなわち表面の設定倍率２３ａに基づいて原稿搬送速度２５を決定する（Ｓ９）。そして、表面画像読取センサ１３と裏面画像読取センサ１４は、制御部２が決定した搬送速度２５にて原稿の両面読取りを行い（Ｓ１０）、変倍処理回路４は、読取って得た小さい方の設定倍率が設定されている面の画像データ、すなわち読取って得た裏面の画像データに対して両設定倍率２３ａ及び２３ｂに基づいて間引き処理を行う（Ｓ１１）。
【００４１】
一方、制御部２は、表面の設定倍率２３ａが裏面の設定倍率２３ｂよりも小さいと判断した場合（Ｓ８：ＮＯ）、大きい方の設定倍率、すなわち裏面の設定倍率２３ｂに基づいて原稿搬送速度２５を決定する（Ｓ１２）。そして、表面画像読取センサ１３と裏面画像読取センサ１４は、制御部２が決定した搬送速度２５にて原稿の両面読取りを行い（Ｓ１３）、変倍処理回路４は、読取って得た小さい方の設定倍率が設定されている面の画像データ、すなわち読取って得た表面の画像データに対して両設定倍率２３ａ及び２３ｂに基づいて間引き処理を行う（Ｓ１４）。
【００４２】
制御部２は、Ｓ７において、選択された読取モードが「標準モード」に対応するものであると判断した場合（Ｓ７：標準モード）、両設定倍率、つまり表面の設定倍率２３ａと裏面の設定倍率２３ｂの中間の倍率に基づいて原稿搬送速度２５を決定する（Ｓ１５）。そして、表面画像読取センサ１３と裏面画像読取センサ１４は、制御部２が決定した搬送速度２５にて原稿の両面読取りを行う（Ｓ１６）。次に、表面の設定倍率２３ａが裏面の設定倍率２３ｂよりも大きいか否かを判断する（Ｓ１７）。ここで、表面の設定倍率２３ａが裏面の設定倍率２３ｂよりも大きいと判断した場合には（Ｓ１７：ＹＥＳ）、両設定倍率２３ａ及び２３ｂと中間の倍率に基づいて、読取って得た大きい方の設定倍率が設定されている面の画像データ、すなわち読取って得た表面の画像データに対して補間処理を行い、読取って得た小さい方の設定倍率が設定されている面の画像データ、すなわち読取って得た裏面の画像データに対して間引き処理を行う（Ｓ１８）。逆に、表面の設定倍率２３ａが裏面の設定倍率２３ｂよりも小さいと判断した場合には（Ｓ１７：ＮＯ）、両設定倍率２３ａ及び２３ｂと中間の倍率に基づいて、読取って得た小さい方の設定倍率が設定されている面の画像データ、すなわち読取って得た表面の画像データに対して間引き処理を行い、読取って得た大きい方の設定倍率が設定されている面の画像データ、すなわち読取って得た裏面の画像データに対して補間処理を行う（Ｓ１９）。
【００４３】
制御部２は、Ｓ７において、選択された読取モードが「速度優先モード」に対応するものであると判断した場合（Ｓ７：速度優先モード）、表面の設定倍率２３ａが裏面の設定倍率２３ｂよりも大きいか否かを判断する（Ｓ２０）。ここで、表面の設定倍率２３ａが裏面の設定倍率２３ｂよりも大きいと判断した場合（Ｓ２０：ＹＥＳ）、制御部２は、小さい方の設定倍率、すわなち裏面の設定倍率２３ｂに基づいて原稿搬送速度２５を決定する（Ｓ２１）。そして、表面画像読取センサ１３と裏面画像読取センサ１４は、制御部２が決定した搬送速度２５にて原稿の両面読取りを行い（Ｓ２２）、変倍処理回路４は、読取って得た大きい方の設定倍率が設定されている面の画像データ、すなわち読取って得た表面の画像データに対して両設定倍率２３ａ及び２３ｂに基づいて補間処理を行う（Ｓ２３）。
【００４４】
一方、制御部２は、表面の設定倍率２３ａが裏面の設定倍率２３ｂよりも小さいと判断した場合（Ｓ２０：ＮＯ）、小さい方の設定倍率、すなわち表面の設定倍率２３ａに基づいて原稿搬送速度２５を決定する（Ｓ２４）。そして、表面画像読取センサ１３と裏面画像読取センサ１４は、制御部２が決定した搬送速度２５にて原稿の両面読取りを行い（Ｓ２５）、変倍処理回路４は、読取って得た大きい方の設定倍率が設定されている面の画像データ、すなわち読取って得た裏面の画像データに対して両設定倍率２３ａ及び２３ｂに基づいて補間処理を行う（Ｓ２６）。このように、表面と裏面についてそれぞれ変倍処理された原稿の両面の画像データは、画像メモリ６に格納された後、例えば記録部７において所定の用紙に印字されることにより、両面プリントされる。
【００４５】
以上説明したように、この画像読取装置１によれば、ユーザが表面と裏面について個別に設定倍率を設定することができる。また、表面と裏面で設定倍率が異なる場合に、ユーザは、「画質優先モード」、「速度優先モード」、及び「標準モード」のいずれかの読取モードを設定することにより、画質を優先して原稿の両面読取りを行わせるか、速度を優先して原稿の両面読取りを行わせるか、又はこれら両方を考慮して原稿の両面読取りを行わせることができる。
【００４６】
なお、本発明の実施形態に係る画像読取装置１の発明は、例えばコピー機能、ファクシミリ機能、スキャナ機能等を備えた複合機適用することが可能である。
【産業上の利用可能性】
【００４７】
本発明は、例えば、原稿を一方向に搬送しつつその両面の画像データを２つの読取センサによって同時に読取る機能を備えた画像読取装置に適用可能である。
【図面の簡単な説明】
【００４８】
【図１】本発明の実施の形態に係る画像読取装置の構成を示したブロック図である。
【図２】画像読取装置が備える原稿読取部の構成を示した概略断面図である。
【図３】原稿の両面読取りを行った場合に、ユーザによって選択されていた読取モードと、読取られた原稿の表面の画像データと裏面の画像データに対して行われる変倍処理の関係を示した図である。
【図４】読取モード設定画面の一例を示した図である。
【図５】原稿の両面読取開始命令があった場合に、画像読取装置において行われる処理動作を示したフローチャートである。
【図６】原稿の両面読取開始命令があった場合に、画像読取装置において行われる処理動作を示したフローチャートである。
【図７】原稿の両面読取開始命令があった場合に、画像読取装置において行われる処理動作を示したフローチャートである。
【符号の説明】
【００４９】
１    画像読取装置
２    制御部
３    原稿読取部
４    変倍処理回路
８    操作部
１１    ＲＡＭ
１３    表面画像読取センサ
１４    裏面画像読取センサ
１５    読取機構制御部
２３    設定倍率
２４    読取モード設定情報
２５    原稿搬送速度
【図１】
2005217561.tif 000003
【図２】
2005217561.tif 000004
【図３】
2005217561.tif 000005
【図４】
2005217561.tif 000006
【図５】
2005217561.tif 000007
【図６】
2005217561.tif 000008
【図７】
2005217561.tif 000009